(57)【要約】【課題】  生体モニタにおいて、測定中の生体データを含んだ電子メールを医療従事者が容易に送信できるようにした看護支援システムを提供することを目的とする。【解決手段】  生体モニタ１００にて、医療従事者が送信操作を行うと、送信部１０５は、その時点で取得されている生体データを電子メールに添付する。そして、送信部１０５は、生体モニタ用設定部１０４から取得したメールアドレスを宛先にして電子メールを送信する。また、管理装置１１０にて、生体モニタ１００から送信された電子メールを受信すると、抽出部１１４は、受信した電子メールのメールアドレスに含まれる被測定者情報により、所望の被測定者の生体データを抽出する。これにより、医療従事者は、電子メールの宛先をいちいち設定することなく、生体データを含んだ電子メールを送信できる。【選択図】        図１
2008183339.tif 000002
【特許請求の範囲】
【請求項１】
被測定者を測定し生体データを出力する測定部と、
前記被測定者を示す被測定者情報とメール受信サーバのドメイン名を示すドメイン情報とを測定開始前に登録し前記被測定者情報と前記ドメイン情報とからメールアドレスを生成する生体モニタ側設定部と、前記測定部により測定された生体データを電子メールに添付し、前記生体モニタ側設定部により生成されたメールアドレスを宛先として送信する送信部とを備えた生体モニタと、
前記ドメイン名が登録された管理装置用設定部と、前記管理装置用設定部にて登録されたドメイン名を示すドメイン情報を持つ電子メールを受信する受信部と、前記受信部にて受信した電子メールを保存するメールボックスと、前記メールボックスに保存された電子メールのメールアドレスに含まれる前記被測定者情報を解析して所望の被測定者の生体データを抽出する抽出部とを備えた管理装置と、
を有する看護支援システム。
【発明の詳細な説明】
【技術分野】
【０００１】
本発明は、病院などで使用される生体モニタに表示されている情報を取得する看護支援システムに関する。
【背景技術】
【０００２】
一般に病院では、看護行為を効率的に進めるために看護支援システムが用いられている。従来の看護支援システムでは、生体モニタ（例えば、バイタルセンサや心電図計など）で測定した生体データを記憶して管理している。
【０００３】
さらに近年では、生体モニタから電子メールで送信された生体データを医師や看護師などの医療従事者が使用する情報端末装置が受信し、受信した生体データを情報端末装置の表示部に表示する生体データの登録・表示システムが開示されている（例えば、特許文献１を参照）。特許文献１に記載の生体データの登録・表示システムでは、生体データモニタ情報を登録する者は、情報端末装置のアドレスを入力する。各生体モニタは、メールサーバを介して生体データをメールにより情報端末装置のアドレスに送信する。
【特許文献１】特開２００５−９５４６９号公報
【０００４】
しかしながら、特許文献１に記載の生体モニタ情報の登録・表示システムでは、生体データを情報端末装置へメール送信するには、生体データを登録する度にアドレスを設定する必要があるので、生体データを登録する者は、登録作業が面倒になってしまうという問題があった。
【発明の開示】
【発明が解決しようとする課題】
【０００５】
本発明は、このような問題を解決するために成されたものであり、生体モニタにおいて、測定中の生体データを含んだ電子メールを医療従事者が容易に送信できるようにした看護支援システムを提供することを目的とする。
【課題を解決するための手段】
【０００６】
上述した課題を解決するために、本発明の看護支援システムでは、生体モニタにて、医療従事者が送信操作を行うと、送信部は、その時点で取得されている生体データを電子メールに添付する。そして、送信部は、生体モニタ用設定部から取得したメールアドレスを宛先にして電子メールを送信するようにしている。また、管理装置にて、生体モニタから送信された電子メールを受信すると、抽出部は、受信した電子メールのメールアドレスに含まれる被測定者情報により、所望の被測定者の生体データを抽出するようにしている。
【発明の効果】
【０００７】
上記のように構成した本発明によれば、生体データを送信するためのメールアドレスに含まれるドメイン名を持つメールサーバである管理装置に、すべての生体データが集められるとともに、メールアドレスに含まれる被測定者情報により生体データが区別される。これにより、医療従事者は、電子メールの宛先をいちいち設定することなく、生体データを含んだ電子メールを送信できる。
【発明を実施するための最良の形態】
【０００８】
以下、本発明の一実施形態を図面に基づいて説明する。本実施形態による看護支援システムの構成例を示すブロック図を図１に示す。同図に示すように、本実施形態による看護支援システムは、生体モニタ１００、管理装置１１０を備えて構成されている。
【０００９】
また、生体モニタ１００は、生体モニタ用制御部１０１と、操作部１０２と、測定部１０３と、生体モニタ用設定部１０４と、送信部１０５と、生体モニタ用インターフェース（Ｉ／Ｆ）部１０６とを備えている。また、管理装置１１０は、管理装置用制御部１１１と、メールボックス１１２と、受信部１１３と、抽出部１１４と、編集部１１５と、管理装置用設定部１１６と、管理装置用インターフェース（Ｉ／Ｆ）部１１７とを備えている。
【００１０】
図１において、生体モニタ１００は、病室内や診察室内の患者の近辺に設置されており、ネットワークを介して管理装置１１０に接続されている。また、管理装置１１０は、医療従事者の居室や各種サーバが設置されているサーバ室などに設置されている。管理装置１１０には、複数の生体モニタ１００が接続されている。ここで、管理装置１１０は、メール受信サーバの機能を有している。
【００１１】
生体モニタ用制御部１０１は、生体モニタ１００の各構成要素を後述するように制御する。操作部１０２は、医療従事者により生体モニタ１００を操作するためのものである。ここで、操作部１０２は、タッチパネルなどにより構成されており、図２に示す測定画面２００上に設けられている。測定画面２００には、記録ボタン２０４が設けられているが、この他にも、測定開始ボタン、測定終了ボタン（いずれも図示しない）が設けられている。また、測定開始ボタンを押下したと生体モニタ用制御部１０１が判断した場合には、生体モニタ用制御部１０１は、測定部１０３を動作させることで測定を開始する。また、測定終了ボタンを押下したと生体モニタ用制御部１０１が判断した場合には、生体モニタ用制御部１０１は、測定部１０３の動作を終了し、測定を終了させる。また、記録ボタン２０４を押下したと生体モニタ用制御部１０１が判断した場合には、制御部１０１は、送信部１０５を動作させる。
【００１２】
測定部１０３は、被測定者の生体データを測定するためのものである。生体モニタ１００は、測定部１０３を動作させることで測定を行うことができる。また、測定部１０３は、記憶メモリを有しており、測定した生体データを記憶することができる。生体モニタ用設定部１０４は、被測定者情報とメール受信サーバのドメイン情報とを登録するものである。生体モニタ用設定部１０４では、初期設定時にメール受信サーバのドメイン名を示すドメイン情報を登録し、測定前に患者ＩＤ（特許請求の範囲の被測定者情報に該当する）を登録する。生体モニタ用設定部１０４は、登録された登録内容を使用してメールアドレスを生成する。
【００１３】
ここで、メールアドレスの形式は、「１２３＠ｘｙｚ．ｃｏｍ」となっており、「＠」記号の前が患者を識別するための患者ＩＤであり、「＠」記号の後が管理装置１１０を示すためのドメイン情報である。
【００１４】
送信部１０５は、電子メールを作成し送信するものである。医療従事者が記録ボタン２０４を押下すると、送信部１０５は、電子メールを新規作成し、測定部１０３に記憶された生体データを取得する。続いて、送信部１０５は、取得した生体データを電子メールに添付して、生体モニタ用設定部１０４で生成したメールアドレスを宛先にして電子メールを送信する。送信した電子メールには、生体モニタ１００のシステム時計から打刻した記録日時情報が含まれている。
【００１５】
測定画面２００は、図２に示すように、測定を監視するための画面である。測定画面２００は、被測定者ＩＤ表示欄２０１、測定日時表示欄２０２、生体データ表示欄２０３、記録ボタン２０４を含んでいる。被測定者ＩＤ表示欄２０１には、測定前に予め生体モニタ用設定部１０４に登録した患者ＩＤが表示される。測定日時表示欄は、現時点の測定日時が表示される。生体データ表示欄２０３は、測定部１０３で測定された生体データが表示される。ここで、生体データ表示欄２０３のデータは、波形図が表示されているが、これに限定されない。例えば、測定値を表示させても良い。記録ボタン２０４を押下すると、生体モニタ用制御部１０１は、送信部１０５を動作させることで、前述したように送信部１０５は、生体データを含んだ電子メールを管理装置１１０へ送信する。
【００１６】
生体モニタ用Ｉ／Ｆ部１０６は、ネットワークと接続し、送信部１０５で送信された電子メールを通信するものである。ここで、電子メールを通信する方法としては、一般的にＳＭＴＰ（Ｓｉｍｐｌｅ  Ｍａｉｌ  Ｔｒａｎｓｆｅｒ  Ｐｒｏｔｏｃｏｌ）通信が用いられる。
【００１７】
管理装置用制御部１１１は、管理装置１１０の各構成要素を後述するように制御する。メールボックス１１２は、受信部１１３にて受信した電子メールを保存するものである。ここで、メールボックス１１２は、各生体モニタ１００から送信された電子メールをメールの宛先毎に保存する。受信部１１３は、生体モニタ１００から送信された電子メールを受信し、メールボックス１１２に蓄積するものである。受信部１１３は、電子メールを受信すると、後述する管理装置用設定部１１６に登録されている患者情報を参照し、メールアドレスに含まれる患者ＩＤが患者情報に登録されているか否かを判定する。メールアドレスに含まれる患者ＩＤが管理装置用設定部１１６の患者情報に登録されている場合には、受信部１１３は、宛先不明を示すフラグとして“０”（否）を立てて被測定者毎にメールボックス１１２に保存する。メールアドレスに含まれる患者ＩＤが管理装置用設定部１１６の患者情報に登録されていない場合には、受信部１１３は、宛先不明を示すフラグとして“１”（正）を立ててメールボックス１１２に保存する。メールボックス１１２内の電子メールは、図３に示す閲覧画面３００のように患者ＩＤ毎に保存される。
【００１８】
ここで、受信部１１３で受信したすべての電子メールには、宛先不明を示すフラグが含まれている。宛先不明を示すフラグとして“０”（否）が立っている電子メールは、メールアドレスに含まれる患者ＩＤを持つ患者情報が管理装置用設定部１１６に登録されているということである。一方、宛先不明を示すフラグとして“１”（正）が立っている電子メールは、メールアドレスに含まれる患者ＩＤを持つ患者情報が管理装置用設定部１１６に登録されていないということである。これらの宛先不明を示すフラグは、後述の抽出部１１４の処理で使用される。
【００１９】
閲覧画面３００は、図３に示すように、メールボックス１１２に蓄積された電子メールを閲覧するための画面である。閲覧画面３００は、被測定者フォルダ３０１、被測定者ＩＤ表示欄３０２、測定日時表示欄３０３、生体データ表示欄３０４、ＵＮＫＮＯＷＮフォルダ３１０を含んでいる。被測定者フォルダ３０１には、患者情報に登録されている患者ＩＤに該当する（すなわち、宛先不明を示すフラグとして“０”が立っている）電子メールに添付されているデータが患者ＩＤ毎に表示される。メールアドレスに含まれる患者ＩＤが被測定者ＩＤ表示欄３０２に表示される。生体モニタ１００から送信された電子メールに含まれる記録日時情報が測定日時表示欄３０３に表示される。生体モニタ１００から送信された電子メールに添付されている生体データが生体データ表示欄３０４に表示される。ＵＮＫＮＯＷＮフォルダ３１０には、患者情報に登録されていない（すなわち、宛先不明を示すフラグとして“１”が立っている）患者ＩＤと生体モニタ１００から送信された電子メールに含まれる記録日時情報とが患者ＩＤ毎に表示される。
【００２０】
抽出部１１４は、メールボックス１１２に保存された電子メールのメールアドレスに含まれる患者ＩＤを解析して所望の被測定者の生体データを抽出するものである。医療従事者が図示しない参照ボタンを押下すると、管理装置用制御部１１１は、抽出部１１４を動作させる。抽出部１１４が動作を開始すると、抽出部１１４は、図示しない入力画面を表示する。入力画面は、患者ＩＤ入力欄と出力ボタンとを含んでいる。医療従事者は、患者ＩＤを患者ＩＤ入力欄に入力し、出力ボタンを押下する。出力ボタンが押下されると、抽出部１１４は、患者ＩＤ入力欄に入力された患者ＩＤを取得し、患者ＩＤに該当する生体データをメールボックス１１２から抽出し、閲覧画面３００の被測定者フォルダ３０１に抽出した生体データを表示する。また、患者ＩＤを持つ患者情報が管理装置用設定部１１６に登録されていない生体データも、閲覧画面３００のＵＮＫＮＯＷＮフォルダ３１０に表示する。
【００２１】
編集部１１５は、メールボックス１１２に保存された電子メールに含まれる被測定者情報を編集するものである。医療従事者がＵＮＫＮＯＷＮフォルダ３１０に表示された患者ＩＤをクリックすると、管理装置用制御部１１１は、編集部１１５を動作させる。編集部１１５が動作を開始すると、編集部１１５は、図示しない入力画面を表示する。入力画面は、患者ＩＤ入力欄と保存ボタンとを含んでいる。医療従事者は、患者ＩＤ入力欄に新たな患者ＩＤを入力し、保存ボタンを押下する。保存ボタンが押下されると、編集部１１５は、患者ＩＤ入力欄に入力された患者ＩＤを取得し、入力された患者ＩＤをキーにして管理装置用設定部１１６に登録された患者情報を検索する。検索後、編集部１１５は、患者ＩＤを持つ患者情報が管理装置用設定部１１６に登録されているか否かの判定を行う。入力された患者ＩＤを持つ患者情報が管理装置用設定部１１６に登録されていると編集部１１５にて判断した場合には、編集部１１５は、該当する電子メールに宛先不明を示すフラグとして“０”を立てて保存し、編集処理を終了する。一方、入力された患者ＩＤを持つ患者情報が管理装置用設定部１１６に登録されていないと編集部１１５にて判断した場合には、編集部１１５は、宛先不明を示すフラグとして“１”を立てたまま編集処理を終了する。
【００２２】
管理装置用設定部１１６は、メール受信サーバのドメイン名を示すドメイン情報と、入院または通院している患者の患者情報とを登録するものである。患者情報には、患者ＩＤと、患者氏名と、受診科目とが互いに紐付けられて登録されている。また、管理装置用設定部１１６に登録されたドメイン情報は、生体モニタ１００から送信された電子メールを受信する際に使用される。管理装置用設定部１１６に登録されたドメイン情報と生体モニタ１００から送信された電子メールのメールアドレスのドメイン情報とが一致していれば、生体モニタ１００から送信された電子メールは、ドメイン情報が一致した管理装置１１０のメールボックス１１２に保存される。
【００２３】
管理装置用Ｉ／Ｆ部１１７は、ネットワークと接続し自宛先に送られてきた電子メールを通信するものである。
【００２４】
次に、本実施形態による看護支援システムの動作を説明する。本実施形態による看護支援システムの動作を示すフローチャートを図４並びに図５に示す。同図に示すように、看護支援システムの動作は、生体モニタ１００での動作と、管理装置１１０での動作とに分かれる。生体モニタ１００にて、生体モニタ用制御部１０１は、初期設定済みであるか否か（すなわち、生体モニタ用設定部１０４にメール受信サーバのドメイン情報が登録済みであるか否か）の判定を行う（ステップ４０１）。初期設定済みであると生体モニタ用制御部１０１にて判断した場合には、（ステップ４０１にてＹＥＳ）、ステップ４０３へ移行する。一方、初期設定が未設定であると生体モニタ用制御部１０１にて判断した場合には（ステップ４０１にてＮＯ）、生体モニタ用制御部１０１は、生体モニタ用設定部１０４にメール受信サーバのドメイン情報を設定し、初期設定を行う（ステップ４０２）。このように、初期設定でメール受信サーバのドメイン情報を設定しておくことにより、生体モニタの測定開始前に被測定者情報を入力するだけで、生体モニタ１００は、指定した管理装置にメールを送信することができる。
【００２５】
初期設定済みであるか、初期設定が終了するか、何れかの処理が行われると、生体モニタ１００は測定可能となる。医療従事者は、測定開始前に被測定者情報である患者ＩＤを操作部１０２で入力して、生体モニタ用設定部１０４に被測定者情報を登録する。生体モニタ用制御部１０１は、被測定者情報が登録されたか否かを判断する（ステップ４０３）。被測定者情報が登録されていないと生体モニタ用制御部１０１にて判断した場合には（ステップ４０３にてＮＯ）、生体モニタ用制御部１０１は、ステップ４０３に戻り、被測定者情報が登録されるまで処理を継続する。一方、被測定者情報が登録されたと生体モニタ用制御部１０１にて判断した場合には（ステップ４０３にてＹＥＳ）、生体モニタ用設定部１０４は、登録された被測定者情報とメール受信サーバのドメイン情報とから、管理装置へ送信するためのメールアドレスを生成する。
【００２６】
生体モニタ用設定部１０４がメールアドレスを生成すると、生体モニタ用制御部１０１は、開始操作が行われたか否か（すなわち、操作部１０２の操作開始ボタンが押下されたか否か）の判定を行う（ステップ４０４）。開始操作が行われていないと生体モニタ用制御部１０１にて判断した場合には（ステップ４０４にてＮＯ）、生体モニタ用制御部１０１は、ステップ４０４の処理に戻り、開始操作が行われるまで処理を継続する。一方、開始操作が行われた生体モニタ用制御部１０１にて判断した場合には（ステップ４０４にてＹＥＳ）、生体モニタ用制御部１０１は、測定部１０３を動作させることで測定を開始する（ステップ４０５）。測定部１０３で測定した生体データは、生体モニタ１００の測定画面２００として出力される。測定部１０３による測定は、終了操作が行われる（すなわち、操作部１０２の測定終了ボタンが押下される）まで継続される。
【００２７】
測定中、生体モニタ用制御部１０１は、送信操作が行われたか否か（すなわち、測定画面２００の記録ボタン２０４が押下されたか否か）の判定を行う（ステップ４０６）。送信操作が行われていないと生体モニタ用制御部１０１にて判断した場合には、（ステップ４０６にてＮＯ）、ステップ４０９へ移行する。一方、送信操作が行われたと生体モニタ用制御部１０１にて判断した場合には（ステップ４０６にてＹＥＳ）、生体モニタ用制御部１０１は、送信部１０５を動作させる。送信部１０５が動作を開始すると、送信部１０５は、取得された生体データを測定部１０３から取得する。また、送信部１０５は、データ送信用の電子メールを新規に作成し、生体モニタ設定部１０４で生成したメールアドレスを取得する（ステップ４０７）。
【００２８】
送信部１０５は、取得したメールアドレスを電子メールの宛先とし、生体データと生体モニタ１００の記録日時情報とをメール本文に含ませ、電子メールを送信し（ステップ４０８）、ステップ４０９へ移行する。送信した電子メールは、生体モニタ用Ｉ／Ｆ部１０７を介してネットワーク上の管理装置１１０へ送信される。なお、ステップ４０７〜４０８の動作が行われている間も測定部１０２は測定を行っている。
【００２９】
ステップ４０９では、生体モニタ用制御部１０１は、終了操作が行われたか否か（すなわち、測定終了ボタンが押下されたか否か）の判定を行う。終了操作が行われたと生体モニタ用制御部１０１にて判断した場合には、（ステップ４０９にてＹＥＳ）、測定部１０３の動作を終了させて測定を終了する。一方、終了操作が行われていないと生体モニタ用制御部１０１にて判断した場合には、（ステップ４０９にてＮＯ）、生体モニタ用制御部１０１は、ステップ４０５に戻る。このようにして、記録ボタン２０４が押下される度に、生体モニタ１００は、測定中の生体データを含んだ電子メールを送信することができる。また、生体モニタ１００は、測定前に被測定者情報を登録するので、生体モニタ情報を送信する度にアドレスを設定する必要がない。そのため、医療従事者は、電子メールの宛先をいちいち設定することなく、生体データを含んだ電子メールを送信できる。
【００３０】
生体モニタ１００から送信された電子メールは、管理装置１１０で受信される。管理装置１１０では、電子メール受信時に受信部１１３が実行するメール受信処理と、医療従事者の操作によって抽出部１１４が実行する受信済電子メールの参照処理と、医療従事者の操作によって編集部１１５が実行する編集処理とが行われる。メール受信処理において、管理装置用制御部１１１は、図４に示すように、電子メールの受信チェックを行い、電子メールを受信したか否かを判断する（ステップ４１１）。具体的には、受信部１１３は、管理装置用設定部１１６に登録されたドメイン情報に該当する電子メールを検索し、ドメイン情報が存在する場合には、該当する電子メールを受信する。電子メールを受信していないと管理装置用制御部１１１が判断した場合には（ステップ４１１にてＮＯ）、ステップ４１１の処理に戻り、管理装置用制御部１１１は受信待機状態となる。一方、電子メールを受信したと管理装置用制御部１１１が判断した場合には（ステップ４１１にてＹＥＳ）、受信部１１３は、電子メールに含まれるメールアドレスから患者ＩＤを取得する（ステップ４１２）。続いて受信部１１３は、取得した患者ＩＤをキーにして管理装置用設定部１１６に登録された患者情報を検索する（ステップ４１３）。検索後、受信部１１３は、患者ＩＤを持つ患者情報が管理装置用設定部１１６に登録されているか否かの判定を行う（ステップ４１４）。
【００３１】
患者ＩＤを持つ患者情報が管理装置用設定部１１６に登録されていると受信部１１３にて判断した場合には、（ステップ４１４にてＹＥＳ）、受信部１１３は、電子メールに宛先不明を示すフラグとして“０”（否）を立てて、メールボックス１１２に電子メールを保存し（ステップ４１５）、ステップ４１１の処理に戻る。一方、患者ＩＤを持つ患者情報が管理装置用設定部１１６に登録されていないと受信部１１３にて判断した場合には、（ステップ４１４にてＮＯ）、受信部１１３は、電子メールに宛先不明を示すフラグとして“１”（正）を立てて、メールボックス１１２に電子メールを保存し（ステップ４１６）、ステップ４１１の処理に戻る。このように、宛先不明を示すフラグとして“０”または“１”をすべての電子メールに立てることにより、受信部１１３は、宛先不明の電子メールも管理することができる。
【００３２】
管理装置１１０は、図５（ａ）に示すように、所望の生体データを参照する参照処理を行う。受信済電子メールの参照処理おいて、医療従事者が図示しない参照ボタンを押下することにより、管理装置用制御部１１１は、参照操作が行われたか否かの判定を行う（ステップ５０１）。参照操作が行われていないと管理装置用制御部１１１にて判断した場合には、（ステップ５０１にてＮＯ）、ステップ５０１の処理に戻り、管理装置用制御部１１１は操作待機状態となる。一方、参照操作が行われたと管理装置用制御部１１１にて判断した場合には、（ステップ５０１にてＹＥＳ）、管理装置用制御部１１１は、抽出部１１４を動作させる。抽出部１１４が動作を開始すると、抽出部１１４は、図示しない入力画面を表示する。入力画面は、患者ＩＤ入力欄と出力ボタンとを含んでいる。医療従事者は、患者ＩＤを患者ＩＤ入力欄に入力し、出力ボタンを押下する。
【００３３】
出力ボタンが押下されると、抽出部１１４は、患者ＩＤ入力欄に入力された患者ＩＤを取得する（ステップ５０２）。抽出部１１４は、ステップ５０２で取得した患者ＩＤに該当する生体データをメールボックス１１２から抽出し、図３に示す閲覧画面３００の被測定者フォルダ３０１に抽出した生体データを表示する（ステップ５０３）。そして、電子メールの宛先が不明である（すなわち、宛先不明を示すフラグとして“１”が立っている）生体データを抽出し、閲覧画面３００のＵＮＫＮＯＷＮフォルダ３１０に表示する（ステップ５０４）。
【００３４】
生体データを出力後、管理装置用制御部１１１は、終了操作が行われたか否かの判定を行う（ステップ５０５）。終了操作が行われたと管理装置用制御部１１１にて判断した場合には、（ステップ５０５にてＹＥＳ）、管理装置用制御部１１１は、参照処理を終了する。一方、終了操作が行われていないと管理装置用制御部１１１にて判断した場合には、（ステップ５０５にてＮＯ）、ステップ５０１の処理に戻る。
【００３５】
管理装置１１０は、宛先不明の生体データについて被測定者情報を修正することで、図５（ｂ）に示すように、編集処理を行う。編集処理において、医療従事者が閲覧画面３００のＵＮＫＮＯＷＮフォルダ３１０に表示された患者ＩＤをクリックすることにより、管理装置用制御部１１１は、編集操作が行われたか否かの判定を行う（ステップ５１１）。編集操作が行われていないと管理装置用制御部１１１にて判断した場合には、（ステップ５１１にてＮＯ）、ステップ５１１の処理に戻り、管理装置用制御部１１１は操作待機状態となる。一方、編集操作が行われたと管理装置用制御部１１１にて判断した場合には、（ステップ５１１にてＹＥＳ）、管理装置用制御部１１１は、編集部１１５を動作させることで、該当するデータの患者ＩＤ入力欄（図示しない）を含む図示しない入力画面を表示する。また、入力画面は、図示しない保存ボタンを含む。医療従事者は、患者ＩＤ入力欄に新たな患者ＩＤを入力し、保存ボタンを押下する。
【００３６】
保存ボタンが押下されると、編集部１１５は、患者ＩＤ入力欄に入力された患者ＩＤを取得する（ステップ５１２）。編集部１１５は、入力された患者ＩＤをキーにして管理装置用設定部１１６に登録された患者情報を検索する（ステップ５１３）。検索後、編集部１１５は、患者ＩＤを持つ患者情報が管理装置用設定部１１６に登録されているか否かの判定を行う（ステップ５１４）。
【００３７】
入力された患者ＩＤを持つ患者情報が管理装置用設定部１１６に登録されていると編集部１１５にて判断した場合には、（ステップ５１４にてＹＥＳ）、編集部１１５は、該当する電子メールに宛先不明を示すフラグとして“０”を立てて保存し（ステップ５１５）、編集処理を終了する。一方、入力された患者ＩＤを持つ患者情報が管理装置用設定部１１６に登録されていないと編集部１１５にて判断した場合には、（ステップ５１４にてＮＯ）、編集部１１５は、宛先不明を示すフラグとして“１”を立てたまま編集処理を終了する。
【００３８】
ステップ５１５の処理により、宛先不明を示すフラグが“０”になった電子メールは、次回以降の抽出ではＵＮＫＮＯＷＮフォルダ３１０に表示されず、該当する被測定者フォルダ３０１に表示される。このように、測定後の生体データの被測定者情報を修正できることから、医療従事者は、実際の被測定者と異なった情報を登録した場合でも測定を再実施せずに済み、正しい被測定者情報に修正した生体データを被測定者の看護記録として取り纏めることができる。
【００３９】
以上詳しく説明したように、本実施形態の看護支援システムでは、生体モニタ１００にて、医療従事者が送信操作を行うと、送信部１０５は、その時点で取得されている生体データを電子メールに添付する。そして、送信部１０５は、生体モニタ用設定部１０４から取得したメールアドレスを宛先にして電子メールを送信するようにしている。また、管理装置１１０にて、生体モニタ１００から送信された電子メールを受信すると、抽出部１１４は、受信した電子メールのメールアドレスに含まれる被測定者情報により、所望の被測定者の生体データを抽出するようにしている。
【００４０】
本実施形態によれば、生体データを送信するためのメールアドレスに含まれるドメイン名を持つメールサーバである管理装置１１０に、すべての生体モニタ１００からの生体データが集められるとともに、メールアドレスに含まれる被測定者情報により集められた生体データが区別される。これにより、医療従事者は、電子メールの宛先をいちいち設定することなく、生体データを含んだ電子メールを管理装置１１０に送信することができる。
【００４１】
また、管理装置１１０の抽出部１１４は、医療従事者が指定する被測定者の生体データを抽出することができる。これにより、宛先に含まれる患者ＩＤ毎に生体データが表示されるため、医療従事者は、被測定者毎の生体データを容易に管理することができる。また、抽出部１１４は、受信部１１３が登録無しと判断した生体データも併せて抽出することができる。
【００４２】
また、管理装置１１０の編集部１１５は、受信部１１３にて登録無しと判断された生体データについて、患者ＩＤを編集可能としている。これにより、医療従事者は、実際の被測定者と異なった情報を登録した場合でも測定を再実施せずに済み、生体データを該当する被測定者の看護記録として取り纏めることができる。
【００４３】
なお、前述した実施形態では、送信部１０５は、波形図の生体データを添付してメールを送信しているが、これに限定されない。例えば、測定値を直接メール本文に含ませても良い。これにより、医療従事者は、様々な出力パターンを持った生体モニタでも、測定されたデータを管理装置へ送信することができる。
【００４４】
また、前述した実施形態では、患者情報は、管理装置用設定部１１６に登録されているが、これに限定されない。例えば、ネットワーク上のサーバや端末に登録しても良い。これにより、患者情報を一括で管理でき、患者情報すべてを持ち出して管理装置用設定部１１６へ登録する必要がないため、患者情報の取得を最低限に抑えることができる。
【００４５】
また、前述した実施形態では、編集部１１５は、宛先不明の生体データを正しい患者ＩＤに修正すると、宛先不明を示すフラグとして“０”を立てているが、これに限定されない。例えば、宛先不明を示すフラグとは別に、修正が行われた生体データであることを編集部１１５が判断できるようなフラグ（“１”（修正済み）、“０”（未修正））を立てても良い。これにより、医療従事者は、患者ＩＤを修正した生体データを把握することができる。
【００４６】
また、前述した実施形態では、医療従事者が記録ボタン２０４を押下することにより、生体モニタ１００は、測定した生体データを添付した電子メールを管理装置１１０へ送信しているが、これに限定されない。例えば、生体モニタ用設定部１０４に予め生体データの上限値及び下限値を設定し、測定値が設定した上限値を上回った場合、または、設定した下限値を下回った場合に、その前後の生体データを添付した電子メールを管理装置１１０へ送信するようにしても良い。
【００４７】
具体的には、測定値が設定した上限値を上回った、または、設定した下限値を下回ったと測定部１０３が判断した場合には、生体モニタ用制御部１０１は、送信部１０５を動作させる。送信部１０５が動作を開始すると、送信部１０５は、電子メールを新規作成し、測定部１０３に記憶された生体データを取得する。続いて、送信部１０５は、取得した生体データを電子メールに添付して、生体モニタ用設定部１０４で生成したメールアドレスを宛先にして電子メールを送信する。これにより、設定した範囲を超えて急変等を検出した時点の生体データが自動的に取得されるので、医療従事者は、急変等を検出した時点の生体データを被測定者の看護記録として容易に取り纏めることができる。また、このような場合において、生体データの上限値または、下限値のみを設定するようにしても良い。
【００４８】
また、前述した実施形態では、測定画面２００には、患者ＩＤと生体モニタ１００の記録日時情報とが表示されているがこれに限定されない。例えば、これらに加えて生体モニタ１００を識別するための装置識別情報を表示するようにしても良い。
【００４９】
具体的には、送信部１０５が電子メールを管理装置１１０へ送信する際、送信部１０５は、生体モニタ１００を識別するための装置識別情報、例えば、装置番号を電子メールに添付して送信する。ここで、装置番号は、生体モニタ１００固有の番号であり、他の生体モニタ１００と重複しない番号で構成されている。また、装置番号は、生体モニタ用設定部１０４または生体モニタ１００の設定ファイル（図示しない）に登録されている。管理装置１１０にて電子メールを受信した後、図４のステップ５０３において、閲覧画面３００の被測定者フォルダ３０１に抽出した生体データを表示する際に、抽出部１１４は、抽出した生体データに該当する装置番号を併せて表示する。また、図４のステップ５０４において、閲覧画面３００のＵＮＫＮＯＷＮフォルダ３１０に宛先不明を示すフラグとして“１”が立っている生体データを表示する際にも、抽出部１１４は、生体データに該当する装置番号を併せて表示する。
【００５０】
この変形例の閲覧画面６００は、図６に示すように、被測定者フォルダ６０１およびＵＮＫＮＯＷＮフォルダ６１０を含む。被測定者フォルダ６０１は、被測定者ＩＤ表示欄６０２、測定日時表示欄６０３、生体データ表示欄６０４に加え、装置番号を表示する装置番号表示欄６０５を含む。また、ＵＮＫＮＯＷＮフォルダ６１０には、患者情報に登録されていない患者ＩＤと記録日時情報と装置番号とが患者ＩＤ毎に表示される。
【００５１】
被測定者フォルダ６０１内の被測定者ＩＤ表示欄６０２には、「ＩＤ：１２３」が表示される。測定日時表示欄６０３には、「６／６  １２：３４」が表示される。装置番号表示欄６０５には、「８５１」が表示される。一方、ＵＮＫＮＯＷＮフォルダ６１０内には、患者ＩＤとして「ＩＤ：１２４」が表示される。また、「ＩＤ：１２４」にて測定した測定日時として「７／１０  １０：２０」が表示される。また、「ＩＤ：１２４」にて測定した装置番号として「８５１」が表示される。被測定者フォルダ６０１とＵＮＫＮＯＷＮフォルダ６１０との両者を見ると、患者ＩＤと測定日時とは異なるが、装置番号が同じである。また、両者の患者ＩＤは、「１２３」と「１２４」と番号が近い。このことから、正しい患者ＩＤである１２３と入力すべきところを１２４と誤って入力してしまったと医療従事者は推測することができる。このように、医療従事者は、被測定者フォルダ６０１に表示されているデータと、ＵＮＫＮＯＷＮフォルダ６１０に表示されているデータとを比較して、生体データの正しい送信元を推測することができる。
【図面の簡単な説明】
【００５２】
【図１】本実施形態による看護支援システムの構成例を示すブロック図である。
【図２】生体モニタの測定画面例を示す表示図である。
【図３】管理装置の閲覧画面例を示す表示図である。
【図４】本実施形態による看護支援システムの動作を示すフローチャート（その１）である。
【図５】本実施形態による看護支援システムの動作を示すフローチャート（その２）である。
【図６】管理装置の閲覧画面例の変形例を示す表示図である。
【符号の説明】
【００５３】
１００    生体モニタ
１０１    生体モニタ用制御部
１０２    操作部
１０３    測定部
１０４    生体モニタ用設定部
１０５    送信部
１０６    生体モニタ用インターフェース（Ｉ／Ｆ）部
１１０    管理装置
１１１    管理装置用制御部
１１２    メールボックス
１１３    受信部
１１４    抽出部
１１５    編集部
１１６    管理装置用設定部
１１７    管理装置用インターフェース（Ｉ／Ｆ）部
２００    測定画面
２０１    被測定者ＩＤ表示欄
２０２    測定日時表示欄
２０３    生体データ表示欄
２０４    記録ボタン
３００    閲覧画面
３０１    被測定者フォルダ
３０２    被測定者ＩＤ表示欄
３０３    測定日時表示欄
３０４    生体データ表示欄
３１０    ＵＮＫＮＯＷＮフォルダ
６００    変形例の実施形態の閲覧画面
６０１    被測定者フォルダ
６０２    被測定者ＩＤ表示欄
６０３    測定日時表示欄
６０４    生体データ表示欄
６０５    装置番号表示欄
６１０    ＵＮＫＮＯＷＮフォルダ
【図１】
2008183339.tif 000003
【図２】
2008183339.tif 000004
【図３】
2008183339.tif 000005
【図４】
2008183339.tif 000006
【図５】
2008183339.tif 000007
【図６】
2008183339.tif 000008